(57)【要約】カプノグラフ装置は、患者試料入口と、基準試料入口と、気体分析チャンバと、前記患者試料入口及び基準試料入口から気体分析チャンバへの気体の供給を管理するソレノイド弁とを含み、前記ソレノイド弁は、前記患者試料入口と前記気体分析チャンバとの間に常開通路を規定するために、電力の供給のない状態で作動可能である。
2008500091.tif 000002
【特許請求の範囲】
【請求項１】
カプノグラフ装置であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記患者試料入口と気体分析チャンバとの間の通路は、前記基準試料入口と気体分析チャンバとの間の通路よりも著しく小さいデッドスペースを有しているカプノグラフ装置。
【請求項２】
カプノグラフ装置であり、
患者試料入口と、
基準試料入口と、
気体分析チャンバと、
マニホルドと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記マニホルドは、前記ソレノイド弁のためのソケットを規定しており、
前記通路は、前記マニホルド内に規定されており且つ前記ソケットにおいて前記ソレノイド弁と前記マニホルドとの間で連結されているカプノグラフ装置。
【請求項３】
カプノグラフ装置であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
５０ｍｌ／分の流速において５０ミリ秒を超えない立ち上がり時間を有することを特徴としているカプノグラフ装置。
【請求項４】
請求項３に記載のカプノグラフ装置であり、前記立ち上がり時間が５０ｍｌ／分の流速において３０ミリ秒を超えないようになされているカプノグラフ装置。
【請求項５】
請求項３に記載のカプノグラフ装置であり、前記立ち上がり時間が５０ｍｌ／分の流速において１０ミリ秒を超えないようになされているカプノグラフ装置。
【請求項６】
カプノグラフ装置であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
５０ｍｌ／分の流速において１０ミリ秒を超えない立ち上がり時間を有することを特徴としているカプノグラフ装置。
【請求項７】
カプノグラフ装置であり、
患者試料入口と、
基準試料入口と、
気体分析チャンバと、
前記患者試料入口及び基準試料入口から気体分析チャンバへの気体の供給を管理し且つ磁石を含んでいるソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記患者試料入口と前記気体分析チャンバとの間の前記通路が、前記磁石によって適用される力によって少なくとも部分的に開放状態に維持されるようになされたカプノグラフ装置。
【請求項８】
請求項２乃至７のうちのいずれか一項に記載のカプノグラフ装置であり、
前記患者試料入口と前記ガス分析チャンバとの間の通路が、前記基準試料入口と前記気体分析チャンバとの間に前記通路よりも著しく小さいデッドスペースを有しているカプノグラフ装置。
【請求項９】
請求項１乃至８のうちのいずれか一項に記載のカプノグラフ装置であり、
前記ソレノイド弁が部分的に中空のプランジャを含んでいるカプノグラフ装置。
【請求項１０】
請求項１乃至９のうちのいずれか一項に記載のカプノグラフ装置であり、前記ソレノイド弁が押圧弁を含んでいるカプノグラフ装置。
【請求項１１】
請求項１乃至１０のうちのいずれか一項に記載のカプノグラフ装置であり、
前記ソレノイド弁が、当該ソレノイド弁が作動せしめられていないときに、前記ソレノイド弁の向きにかかわらず、前記患者試料入口と前記気体分析チャンバとの間の前記通路を開放状態に維持するように作動することができる磁石を含んでいるカプノグラフ装置。
【請求項１２】
請求項１、２及び７のうちのいずれか一項に記載のカプノグラフ装置であり、
５０ｍｌ／分の流速において５０ミリ秒を超えない立ち上がり時間を有することを特徴としているカプノグラフ装置。
【請求項１３】
請求項１２に記載のカプノグラフ装置であり、
前記立ち上がり時間が５０ｍｌ／分の流速において３０ミリ秒を超えないカプノグラフ装置。
【請求項１４】
請求項１２に記載のカプノグラフ装置であり、
前記立ち上がり時間が５０ｍｌ／分の流速において１０ミリ秒を超えないカプノグラフ装置。
【請求項１５】
気体分析器であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記患者試料入口と気体分析チャンバとの間の通路は、前記基準試料入口と気体分析チャンバとの間の通路よりも著しく小さいデッドスペースを有している気体分析器。
【請求項１６】
気体分析器であり、
患者試料入口と、
基準試料入口と、
気体分析チャンバと、
マニホルドと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記マニホルドは、前記ソレノイド弁のためのソケットを規定しており、
前記通路は、前記マニホルド内に規定されており且つ前記ソケットにおいて前記ソレノイド弁と前記マニホルドとの間で連結されている気体分析器。
【請求項１７】
気体分析器であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
５０ｍｌ／分の流速において５０ミリ秒を超えない立ち上がり時間を有することを特徴としている気体分析器。
【請求項１８】
請求項１７に記載の気体分析器であり、前記立ち上がり時間が５０ｍｌ／分の流速において３０ミリ秒を超えないようになされている気体分析器。
【請求項１９】
請求項１７に記載の気体分析器であり、前記立ち上がり時間が５０ｍｌ／分の流速において１０ミリ秒を超えないようになされている気体分析器。
【請求項２０】
気体分析器であり、
患者試料入口と、
基準試料入口と、
気体分析チャンバと、
前記患者試料入口及び基準試料入口から気体分析チャンバへの気体の供給を管理するソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
５０ｍｌ／分の流速において１０ミリ秒を超えない立ち上がり時間を有することを特徴としている気体分析器。
【請求項２１】
気体分析器であり、
患者試料入口と、
基準試料入口と、
気体分析チャンバと、
前記患者試料入口及び基準試料入口から気体分析チャンバへの気体の供給を管理し、磁石を含んでいるソレノイド弁とを含み、
前記ソレノイド弁は、患者試料入口と気体分析チャンバとの間の常開通路と、前記基準試料入口と気体分析チャンバとの間の常閉通路とを規定するように作動可能であり、
前記患者試料入口と前記気体分析チャンバとの間の前記通路が、前記磁石によって適用される力によって少なくとも部分的に開放状態に維持されるようになされた気体分析器。
【請求項２２】
請求項１５乃至２１のうちのいずれか一項に記載の気体分析器であり、
前記患者試料入口と前記ガス分析チャンバとの間の通路が、前記基準試料入口と前記気体分析チャンバとの間に前記通路よりも著しく小さいデッドスペースを有している気体分析器。
【請求項２３】
請求項１５乃至２２のうちのいずれか一項に記載の気体分析器であり、
前記ソレノイド弁が部分的に中空のプランジャを含んでいる気体分析器。
【請求項２４】
請求項１５乃至２３のうちのいずれか一項に記載の気体分析器であり、前記ソレノイド弁が押圧弁を含んでいる気体分析器。
【請求項２５】
請求項１５乃至２４のうちのいずれか一項に記載の気体分析器であり、
前記ソレノイド弁が、当該ソレノイド弁が作動せしめられていないときに、前記ソレノイド弁の向きにかかわらず、前記患者試料入口と前記気体分析チャンバとの間の前記通路を開放状態に維持するように作動することができる磁石を含んでいる気体分析器。
【請求項２６】
請求項１５、１６及び２１のうちのいずれか一項に記載の気体分析器であり、
５０ｍｌ／分の流速において５０ミリ秒を超えない立ち上がり時間を有することを特徴としている気体分析器。
【請求項２７】
請求項２６に記載の気体分析器であり、
前記立ち上がり時間が５０ｍｌ／分の流速において３０ミリ秒を超えない気体分析器。
【請求項２８】
請求項２６に記載の気体分析器であり、
前記立ち上がり時間が５０ｍｌ／分の流速において１０ミリ秒を超えない気体分析器。
【発明の詳細な説明】
【発明の分野】
【０００１】
本発明は、概してカプノグラフィに関し、より特別には、ソレノイド弁を使用しているカプノグラフ装置に関する。
【背景技術】
【０００２】
（関連出願）
米国特許第５，０８５，４０２号及び第６，０２４，１１４号は、当該技術の現在の状況を示していると考えられる。
【発明の開示】
【０００３】
本発明は、カプノグラフ装置と、当該カプノグラフ装置内で使用するのに特に有利なソレノイド弁を提供することを目的とする。
本発明の好ましい実施形態に従って、患者試料入口と、基準試料入口と、気体分析チャンバと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、前記患者試料入口と気体分析チャンバとの間の通路は、前記基準試料入口と気体分析チャンバとの間の通路よりも著しく小さいデッドスペースを有しているカプノグラフ装置が提供されている。
【０００４】
本発明の別の好ましい実施形態に従って、患者試料入口と、基準試料入口と、気体分析チャンバと、マニホルドと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、前記マニホルドは、ソレノイド弁のためのソケットを規定しており、前記通路は、前記マニホルド内に規定されており且つ前記ソケットにおいて前記ソレノイド弁と前記マニホルドとの間に連結されているカプノグラフ装置が提供されている。
【０００５】
本発明の更に別の好ましい実施形態に従って、患者試料入口と、基準試料入口と、気体分析チャンバと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、前記カプノグラフ装置は、５０ｍｌ／分の流速で５０ミリ秒を超えない立ち上がり時間を有することを特徴としているカプノグラフ装置が提供されている。
【０００６】
前記立ち上がり時間は、５０ｍｌ／分の流速で３０ミリ秒を超えないのがより好ましい。前記立ち上がり時間は、５０ｍｌ／分の流速で１０ミリ秒を超えないのが最も好ましい。
【０００７】
本発明の更に別の好ましい実施形態に従って、患者試料入口と、基準試料入口と、気体分析チャンバと、前記患者試料入口及び基準試料入口から気体分析チャンバへの気体の供給を管理するソレノイド弁とを含み、当該ソレノイド弁は、患者試料入口と気体分析チャンバとの間の常開通路と、前記基準試料入口と気体分析チャンバとの間の常閉通路とを規定するように作動可能であり、５０ｍｌ／分の流速で１０ミリ秒を超えない立ち上がり時間を有することを特徴としているカプノグラフ装置が提供されている。
【０００８】
本発明の更に別の好ましい実施形態に従って、患者試料入口と、基準試料入口と、気体分析チャンバと、前記患者試料入口及び基準試料入口から気体分析チャンバへの気体の供給を管理し且つ磁石を含んでいるソレノイド弁とを含み、前記ソレノイド弁は、患者試料入口と気体分析チャンバとの間の常開通路と、前記基準試料入口と気体分析チャンバとの間の常閉通路とを規定するように作動可能であり、前記患者試料入口と気体分析チャンバとの間の通路は、前記磁石によって適用される力によって少なくとも部分的に開いた状態に維持されるようになされたカプノグラフ装置が提供されている。
【０００９】
前記患者試料入口と気体分析チャンバとの間の通路は、前記基準試料入口と気体分析チャンバとの間の通路よりも著しく小さいデッドスペースを有しているのが好ましい。
前記ソレノイド弁は部分的に中空のプランジャを含んでいるのが好ましい。付加的に又は代替的に、前記ソレノイド弁は押圧弁を含んでいる。代替的に又は付加的に、前記ソレノイド弁は、当該ソレノイド弁が作動せしめられていないときに、ソレノイド弁の向きに関係なく、患者試料入口と気体分析チャンバとの間の通路を開いた状態に維持するように作動可能な磁石を含んでいる。
【００１０】
当該カプノグラフ装置は、５０ｍｌ／分の流速で５０ミリ秒を超えない立ち上がり時間を有しているのが好ましい。当該立ち上がり時間は、５０ｍｌ／分の流速で３０ミリ秒を超えないのがより好ましい。更に、前記立ち上がり時間は、５０ｍｌ／分の流速で１０ミリ秒を超えないのが最も好ましい。
【００１１】
本発明の更に別の好ましい実施形態に従って、患者試料入口と、基準試料入口と、気体分析チャンバと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、前記患者試料入口と気体分析チャンバとの間の通路は、前記基準試料入口と気体分析チャンバとの間の通路よりも著しく小さいデッドスペースを有している気体分析器が提供されている。
【００１２】
本発明の更に別の好ましい実施形態に従って、患者試料入口と、基準試料入口と、気体分析チャンバと、マニホルドと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、前前記マニホルドは、前記ソレノイド弁のためのソケットを規定しており、前記通路は、前記マニホルド内に規定されており且つ前記ソレノイド弁と前記マニホルドとの間の前記ソケットにおいて連結されている気体分析器が提供されている。
【００１３】
本発明の更に好ましい実施形態に従って、患者試料入口と、基準試料入口と、気体分析チャンバと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、当該気体分析器は、５０ｍｌ／分の流速で５０ミリ秒を超えない立ち上がり時間を有することを特徴としている気体分析器が提供されている。
【００１４】
前記立ち上がり時間は、５０ｍｌ／分の流速で３０ミリ秒を超えないのがより好ましい。前記立ち上がり時間は、５０ｍｌ／分の流速で１０ミリ秒を超えないのが最も好ましい。
【００１５】
本発明の更に好ましい実施形態に従って、患者試料入口と、基準試料入口と、気体分析チャンバと、前記患者試料入口及び基準試料入口から気体分析チャンバへの気体の供給を管理するソレノイド弁とを含み、前記ソレノイド弁は、患者試料入口と気体分析チャンバとの間の常開通路と、前記基準試料入口と気体分析チャンバとの間の常閉通路とを規定するように作動可能であり、５０ｍｌ／分の流速で１０ミリ秒を超えない立ち上がり時間を有することを特徴としている気体分析器が提供されている。
【００１６】
本発明の更に好ましい実施形態に従って、患者試料入口と、基準試料入口と、気体分析チャンバと、前記患者試料入口及び基準試料入口から気体分析チャンバへの気体の供給を管理するソレノイド弁と磁石とを含み、前記ソレノイド弁は、患者試料入口と気体分析チャンバとの間の常開通路と、前記基準試料入口と気体分析チャンバとの間の常閉通路とを規定するように作動可能であり、前記患者試料入口と前記気体分析器との間の通路は、前記磁石によって適用される力によって少なくとも部分的に開いた状態に維持されるようになされている気体分析器が提供されている。
【００１７】
前記患者試料入口と前記気体分析チャンバとの間の通路は、前記基準試料入口と前記気体分析チャンバとの間の通路よりも著しく小さいデッドスペースを有しているのが好ましい。
【００１８】
前記ソレノイド弁は、部分的に中空のプランジャを含んでいるのが好ましい。付加的に又は代替的に、ソレノイド弁は押圧弁を含んでいる。代替的に又は付加的に、前記ソレノイド弁は、前記ソレノイド弁が作動せしめられていないときに、前記ソレノイド弁の作動に関係なく、前記患者試料入口と前記気体分析チャンバとの間の通路を開放状態に維持するように作動する磁石を含んでいる。
【００１９】
前記気体分析器は、好ましくは５０ｍｌ／分の流速において５０ミリ秒を超えない立ち上がり時間を有することを特徴としている。前記立ち上がり時間は、５０ｍｌ／分の流速で３０ミリ秒を超えないのがより好ましい。前記立ち上がり時間は、５０ｍｌ／分の流速で１０ミリ秒を超えないのが最も好ましい。
【００２０】
本発明は、図面と組み合わせられた以下の詳細な説明によってより十分に理解されるであろう。
【好ましい実施形態の説明】
【００２１】
図１乃至３を参照すると、図１は、本発明の好ましい実施形態に従って構成され且つ作動することができるカプノグラフ装置の簡素化された図であり、図２は、本発明の好ましい実施形態に従って構成され且つ作動するソレノイド弁を含んでいる図１のカプノグラフの一部分の分解図であり、図３は、図２に示されたカプノグラフ装置の一部分の組立図である。
【００２２】
図１に最も明確に示されているように、カプノグラフ装置は主要ハウジング部材１０を含んでいる。患者の呼気源に結合可能である入口コネクタ２２を備えている患者の呼気入口管２０が、主要ハウジング１０内に形成されている患者の気体入口穴２４（図２及び３）に取り付けられている。入口コネクタ２２とカプノグラフ装置の動作を管理するマイクロプロセッサ２８との間で電子形態のデータを伝送するように作動可能である。
【００２３】
主要ハウジング部材１０にはソレノイド弁アセンブリ３４が螺結されており、ソレノイド弁３４は、主要ハウジング部材１０に形成された患者試料入口穴３６と基準試料入口穴３８と連絡しており且つ主要ハウジング部材１０に形成された付加的な穴（図示せず）を介して、各々、患者気体入口穴２４と基準気体入口穴３２とに結合されている。
【００２４】
患者の呼気入口管２０か基準気体入口管３０からカプノグラフ装置に入る気体は、ソレノイド弁アセンブリ３４内を通過し、次いで、気体供給穴４０を介して、主要ハウジング部材１０内に形成されている気体分析チャンバ４２に入る。気体分析チャンバ４２内で、気体は、気体分析チャンバ４２の壁４８に形成された窓部分４６を通過する赤外光を発する赤外ランプアセンブリ４４を使用して分析される。気体は、主要ハウジング部材１０に形成され且つ気体出口管５４に結合されている気体出口穴５２につながっている穴５０を介して気体分析チャンバ４２から出て行く。
【００２５】
患者試料入口穴３６、基準試料入口穴３８及び気体供給穴４０のみならず本明細書で言及している他の穴が主要ハウジング部材１０の種々の面内に延びることができ、典型的には、図面に明確化のために図示されているように、これらは全て主要ハウジング部材１０の単一面内に延びてはいないであろう。
【００２６】
ソレノイド弁アセンブリ３４は、患者試料入口穴３６及び基準試料入口穴３８から気体分析チャンバ４２への気体の供給を管理している。
赤外ランプアセンブリ４４は、主要ハウジング部材１０内に形成されているねじが切られた穴５６に螺結され且つ電源５８から電力を受け取る赤外ランプ（図示せず）を含んでいるのが好ましい。典型的には、主要ハウジング部材１０、赤外ランプアセンブリ４４及び電源５８はベース部材６０上に取り付けられる。
【００２７】
図２において特に明確に見ることができるように、ソレノイド弁アセンブリ３４は、弁のサブアセンブリ７０及びソレノイドアセンブリ８０を含んでいる。
主要ハウジング部材１０は、弁のサブアセンブリ７０とソレノイドのサブアセンブリ８０とを収容する形状とされており且つ患者試料入口穴３６及び気体供給穴４０と流体連通している概して円筒形の穴１０２を含んでいる。
【００２８】
図２において、円筒形の穴１０２の後方には、円筒形の穴１０２よりも大きな断面積を有している概して円筒形の穴１０４が形成されており、穴１０２と１０４との間には肩部１０６が形成されている。円筒形の穴１０４は、基準試料入口穴３８と流体連通している。
【００２９】
図２において、穴１０４の後方には、穴１０４よりも大きい断面積を有するねじが切られた円筒形の穴１１０が形成されている。各々、参照符号１１２及び１１４によって示された穴１１０の前方端部及び後方端部は、穴１１０の残りの部分よりも幾分大きな断面積を有している。穴１０４及び１１０はソレノイドのサブアセンブリ８０を収容しており、端部１１４には密封リング１１６が配置されている。
【００３０】
弁のサブアセンブリ７０は、主要ハウジング部材１０の円筒形の穴１０２内に緩く且つ摺動可能に収容されている本体部分１２０を含んでいる。本体部分１２０は、軸線方向に貫通して延びている穴１２２が形成されており且つ第一の断面積を有する第一の概して円筒形の部分１２４と、円筒形部分１２４よりも大きい第二の断面積を有する第二の円筒形部分１２６とを含んでいる。
【００３１】
円筒形部分１２４と１２６との間には肩部１２８が形成されており、当該肩部は、円筒形部分１２４の周囲に配置された圧縮ばね１３０のための座面を形成している。
円筒形部分１２６の後方に面した表面に形成されている凹部１３４には密封部材１３２が配置されている。
【００３２】
穴１２２の前方端部には、穴１２２よりも大きな断面積を有している付加的な穴１３６が配置されている。可撓性のエラストマ密封部材１３８が穴１３６内に密封可能に着座し且つ穴１２２の前方部分内へと後方へ延びている。
【００３３】
軸１４０が、穴１２２内に着座して固定されており且つエラストマ密封部材１３８から軸線方向後方に隔置されている。軸１４０は、密封部材１３２内を通って後方へ延び且つ穴１２２から出て行っている。別の方法として、軸１４０は、本体部分１２０と一体に形成されていても良い。
【００３４】
ソレノイドのサブアセンブリ８０は前方部材１５０を含んでおり、当該前方部材１５０の前方部分は、主要ハウジング部材１０の円筒形の穴１０４内に密封されている。前方部材１５０は、軸線方向に貫通して延びている穴１５２が形成されており且つ前方を向いているほぼ円筒形の部分１５４を含んでいる。円筒形部分１５４には、主要ハウジング部材１０内に形成されている基準試料入口穴３８と流体連通するように配置されている横方向の穴１５６が形成されている。
【００３５】
円筒形部分１５４は、前方端部にリング形状突出部１５８を含んでいる。リング形状突出部１５８は、図４Ａ及び４Ｂに最も良く表されており、以下に説明する。リング形状突出部１５８は、密封部材１３２と密封係合するようになされている。
【００３６】
前方部材１５０はまた、その後方に円筒形部分１５４と一体に形成された円板状部分１６０を含んでおり、当該円板状部分１６０の後方にはほぼ円筒形の部分１６２が形成されている。
【００３７】
穴１５２は、その前方端部において、弁のサブアセンブリ７０の軸１４０の後方に面している端部を摺動可能に収容している。前方を向いている面１６８と後方を向いている面１７０とを有している軸１６４が、穴１５２内の軸１４０の後方に摺動可能に配置されている。軸１６４の前方を向いている面１６８は、軸１４０の後方を向いている面と係合し、軸１６４の後方を向いている面１７０は、前方部材１５０の後方且つ軸線方向外方へ延びている。
【００３８】
ソレノイドのサブアセンブリ８０は、付加的に、管状部分１８２を有している管状のコイル支持部材１８０を含んでいる。管状コイル支持部材１８０は、その前方端部にフランジ部分１８４を含んでいる。管状コイル支持部材１８０は、前方部材１５０の円筒形部分１５４の周囲に配置されており且つ後方へ延びている。ソレノイド１９０は、管状コイル支持部材１８０の管状部分１８２の周りに巻かれている。
【００３９】
好ましくは部分的に中空であり且つ前方を向いている面を形成しているプランジャ１９２が、管状のコイル支持部材１８０の管状部分１８２内に摺動可能に配置されている。プランジャ１９２の前方を向いている面１９４は、軸１６４の後方を向いている面１７０に係合している。
【００４０】
ソレノイドハウジング２００は、壁部分２０４内の後方端部で終端している概して円筒形の管状部分２０２を含んでいる。壁部分２０４には、管状部分１８２の後方を向いている部分を収容する概して円形の穴２０６が形成されている。ソレノイドハウジング２００は、その前方端部に、円板部分１６０に当接しているフランジ部分２１０を形成している。
【００４１】
ソレノイドハウジング２００を包囲しているナット２２０は、主要なハウジング部材１０の穴１１０内に螺合して着座しており、従って、弁のサブアセンブリ７０とソレノイドのサブアセンブリ８０とを内部に保持している。
【００４２】
図４Ａ及び４Ｂを参照すると、各々、患者試料採取作動モード及び基準試料採取作動モードにある図１乃至３のカプノグラフ装置の一部分内の気体の流れを示している。
図４Ａは、患者試料採取作動モードを示しており、このモード中は、電流がソレノイド１９０内を流れず、弁のサブアセンブリ７０は、下方の常開位置にある。この常開位置においては、主要ハウジング部材１０の患者試料入口穴３６から延びている矢印２５０によって示されている気体供給穴４０への流体の流路は開いている。この動作モードにおいては、密封部材１３２は、前方部材１５０の突出部１５８と密封係合し、このようにして、流体流路内のデッドスペースを最小化する。弁のサブアセンブリ７０は、圧縮ばね１３０の力によって開放位置に維持され且つ電力を必要としない。
【００４３】
図４Ａに示されている患者試料採取作動モードにおいては、ソレノイド弁アセンブリ３４に供給される気体試料は、干渉がほんの少し又は殆ど無い状態で患者の試料入口穴３６から気体供給穴４０へと自由に流れる。患者試料採取作動モードにおいては、矢印２５０によって示されている通路内に極めて小さいデッドスペースが存在し、このようにして、気体分析チャンバ４２に到達する波形の歪みを減らし且つその立ち上がり時間を比較的低くし、好ましくは５０ミリ秒未満、より好ましくは３０ミリ秒未満、最も好ましくは１０ミリ秒を超えないようにする。
【００４４】
患者試料採取作動モードにおいては、基準試料入口穴３８と気体供給穴４０との間に規定されている通路は通常は閉じており、矢印２５０によって示されている通路は、基準試料入口穴３８と気体供給穴４０との間に規定されている通路より著しく小さなデッドスペースを有している。
【００４５】
図４Ｂは、電流がソレノイド１９０内を流れて圧縮ばね１３０によって適用される力に対して矢印２６０によって示される方向にプランジャ１９２を軸線方向前方へ押す基準試料によって、軸１６４の各々の前方への動作がもたらされ、これは、軸１４０及び本体部分１２０の前方への動きをもたらし、その結果、エラストマ密封部材１３８の患者の試料入口穴３６に対する係合がもたらされる。
【００４６】
この閉塞された位置においては、主要ハウジング部材１０の基準試料入口穴３８から気体供給穴４０まで延びている矢印２７０によって示されている流体流路は開いている。この作動モードにおいては、密封部材１３２は前方部材１５０の突出部１５８と係合していない。弁のサブアセンブリ７０は、ソレノイド１９０内に電流を流すことによって形成される電界力によってこの閉塞された位置に維持される。
【００４７】
図４Ｂに示されているように、基準標本採取作動モードにおいては、ソレノイド弁アセンブリ３４に供給されている気体試料は、基準試料入口穴３８から気体供給穴４０へ自由に流れる。矢印２７０によって示されている流路を包囲しているデッドスペースが設けられているけれども、基準気体の波長は試験に対して重要ではないので、デッドスペースは基準気体の分析の正確性に影響を及ぼさない。
【００４８】
図５Ａ及び５Ｂを参照すると、図５Ａ及び５Ｂは、各々の患者の標本採取作動モード及び基準標本採取作動モードにおける図１乃至３のカプノグラフ装置の変形例の一部分内の気体の流れを示している。
【００４９】
図５Ａ及び５Ｂに見られるように、カプノグラフ装置は主要なハウジング部材５１０を含んでいる。主要ハウジング部材５１０上には、ソレノイド弁アセンブリ５３４が螺合によって取り付けられており、ソレノイド弁アセンブリ５３４は、主要ハウジング部材５１０に形成された患者試料入口穴５３６及び基準試料入口穴５３８と連通しており且つ主要ハウジング部材５１０内に形成された付加的な穴（図示せず）を介して各々患者気体入口穴（図示せず）及び基準気体入口穴（図示せず）に結合されている。
【００５０】
患者の呼気入口管から或いは基準気体入口管からカプノグラフ装置へ入る気体は、ソレノイドの弁アセンブリ５３４を通過し、次いで気体供給穴５４０を介して主要ハウジング部材５１０内に形成されている気体分析チャンバ（図示せず）内へ流れる。
【００５１】
図１を参照して上記したものと似た方法で、気体は、赤外ランプアセンブリから射出される赤外光によって気体分析チャンバ内で分析される。気体は、主要ハウジング部材５１０内に形成されている穴及び気体出口管に結合されている気体出口穴を介して気体分析チャンバを出て行く。
【００５２】
患者試料入口穴５３６、基準試料入力穴５３８及び気体供給穴５４０のみならず本明細書で言及されている他の穴は、主要ハウジング部材５１０内の種々の面内に延びることができ、典型的には全て図５Ａ及び５Ｂにおいて明確化のために示されているように、主要ハウジング部材５１０の単一面内に延びていないことがわかる。
【００５３】
ソレノイド弁アセンブリ５３４は、弁のサブアセンブリ５７０及びソレノイドのサブアセンブリ５８０を含んでいる。主要なハウジング部材５１０は、弁のサブアセンブリ５７０及びソレノイドのサブアセンブリ５８０を収容する構造とされており且つ患者の試料入口穴５３６及び気体供給穴５４０と流体連通している概して円筒形の穴６０２を含んでいる。図５Ａにおいては、円筒形の穴６０２の後方には、当該円筒形の穴６０２より大きな断面積を有しているほぼ円筒形の穴６０４が形成されており、穴６０２と６０４との間には肩部６０６が形成されている。円筒形の穴６０４は、基準試料入口穴５３８と流体連通している。
【００５４】
穴６０４の後方には、穴６０４よりも大きな断面積を有するねじが切られた円筒形の穴６１０が形成されている。各々参照符号６１２及び６１４によって示されている穴６１０の前方端部及び後方端部は、穴６１０の残りの部分より幾分大きい断面積を有している。端部６１４には密封リング６１６が配置されている。
【００５５】
弁アセンブリ５７０は、後方を向いている端部部分６２１を規定しており且つその前方端部に取り付けられたエラストマ密封部材６２２を有している軸部分６２０を含んでいる。エラストマ密閉部材は、前方を向いている面６２４と後方を向いている面６２６とを規定しており且つ円筒形の穴６０２内に緩く且つ摺動可能に収容されている。
【００５６】
ソレノイドのサブアセンブリ５８０は前方部材６５０を含んでおり、当該前方部材の前方部分は、主要ハウジング部材５１０の円筒形穴６０４内に着座している。前方部材６５０には、その中を軸線方向に延びている穴６５２が形成されており且つ前方を向いているほぼ円筒形の部分６５４を含んでいる。円筒形部分６５４には横方向の穴６５６が形成されており、当該横方向の穴は、主要ハウジング部材５１０に形成されている基準試料入口穴５３８と流体連通するように配置されている。
【００５７】
円筒形部分６５４は、その前方端部にリング形状の突出部６５８を含んでおり、この突出部は図５Ａ及び５Ｂの拡大部分に最も良く見ることが出来る。リング形状の突出部６５８は、エラストマ密封部材６２２の後方を向いている面６２６に密封係合するようになされている。
【００５８】
前方部材６５０はまた、円筒形部分６５４と一体形成されており且つその後方に円板状部分６６０を含んでおり、当該円板状部分の後方には、ほぼ円筒形の部分６６２が形成されている。凹部６６４が円筒形部分６６２の後方を向いている面に形成されており且つ軸６２０の周りに配置されている圧縮ばね６６６のためのばね着座部を規定している。穴６５２は、弁アセンブリ５７０の軸６２０を緩く且つ摺動可能に収容している。
【００５９】
ソレノイドのサブアセンブリ５８０は、付加的には、壁部分６８３で終端している管状部分６８２を有している管状コイル支持部材６８０を含んでおり、管状部分６８２の後方には、円筒形部分６８４が形成されている。管状コイル支持部材６８０の前方端部には、フランジ部分６８５を含んでいる。管状のコイル支持部材６８０は、前方部材６５０の円筒形部分６５４の周りに配置されており且つその後方へ延びている。ソレノイド６９０は、管状コイル支持部材６８０の管状部分６８２の周囲に巻かれている。
【００６０】
前方面６９４を規定しているプランジャ６９２は、管状コイル支持部材６８０の管状部分６８２内に摺動可能に配置されている。プランジャ６９２の前方面６９４は、圧縮ばね６６６のための後方ばね着座部を規定している。プランジャ６９２の前方を向いている部分内に形成されている穴６９６は、軸６２０の後方を向いている端部６２１を収容して固定している。磁石６９８が円筒形部分６８４内で壁部分６８３に当接して着座し、このようにして、ソレノイド６９０が作動せしめられていないときにプランジャ６９２をその後方位置に維持するのが好ましい。
【００６１】
ソレノイドハウジング７００は、後端が壁部分７０４内で終端しているほぼ円筒形の管状部分７０２含んでいる。壁部分７０４には、管状部分６８２の後方を向いている部分を収容しているほぼ円筒形の穴７０６が形成されている。ソレノイドハウジング７００は、その前方端部に、円板部分６６０に当接するフランジ部分７１０を規定している。
【００６２】
ソレノイドハウジング７００を包囲しているナット７２０は、主要ハウジング部材５１０の穴６１０内に螺結されて着座せしめられており、このようにして、弁のサブアセンブリ５７０及びソレノイドのサブアセンブリ５８０を内部に保持している。
【００６３】
図１乃至４Ｂに示した実施形態と図５Ａ及び５Ｂに示した実施形態との本質的な相違点は、圧縮ばねが、ソレノイド弁サブアセンブリ５３４内のより後方の位置に配置されており、その結果、装置内のデッドスペースの更なる減少がもたらされることである。
【００６４】
図５Ａは、患者試料採取作動モードを示しており、当該作動モード中は、電流はソレノイド６９０内を流れず、弁のサブアセンブリ５７０は後方の常開位置にある。この常開位置においては、主要ハウジング部材５１０の試料入口穴５３６から気体供給穴５４０まで延びている矢印７５０によって示された流体流路は開いている。この作動モードにおいては、前方部材６５０のリング形状突出部６５８はエラストマ密封部材６２２の後方を向いている面６２６と密封係合していて、前記流体流路内のデッドスペースを最小化している。弁のサブアセンブリ５７０は、圧縮ばね６６６の力によってこの開放位置に維持されており、電力を必要としない。更に、磁石６９８は、プランジャ６９２をその後方位置に維持して、ソレノイド６９０が作動せしめられていないときに弁のサブアセンブリ５７０がその向きに関係なく開放位置に維持されるのを確保している。
【００６５】
図５Ａに示されているように、患者試料採取作動モードにおいては、ソレノイド弁アセンブリ５３４に供給される気体試料は、試料入口穴５３６から気体供給穴５４０へと影響を殆ど又は全く及ぼすことなく自由に流れる。患者試料採取作動モードにおいては矢印７５０によって示されている通路に沿った又は連通したデッドスペースが極めて少なく、その結果、気体分析チャンバに到達する波形の不必要な歪みが避けられ、立ち上がり時間が比較的短くなる（５０ミリ秒未満であるのが好ましく、３０ミリ秒未満であるのがより好ましく、１０ミリ秒を超えないのが最も好ましい）ことは、本願発明の特別な特徴である。
【００６６】
患者試料採取作動モードにおいては、基準試料入口穴５３８と気体供給穴５４０との間に規定されている通路は通常は閉じられており、矢印７５０によって示されている通路は、基準試料入口穴５３８と気体供給穴５４０との間に規定されている通路よりも著しく小さいデッドスペースを有している。
【００６７】
図５Ｂは、基準試料採取作動モードを示しており、このモード中においては、電流がソレノイド６９０内を流れる。ソレノイド６９０内を流れている電流によって形成された磁界力は、最初に、磁石６９８からのプランジャ６９２の解放を可能にし、その後に、圧縮ばね６６６によって適用された力に対して矢印７６０によって示された方向において軸線方向前方へのプランジャ６９２の動きを可能にする。磁石６９８から離れるようにプランジャ６９２を動かすのに必要とされる力は、圧縮ばね６６６によって適用される力に抗してプランジャを前方へ押すのに必要とされる力に等しいか又はそれより小さいことは本発明の特別な特徴である。プランジャ６９２の前方への動きによって、軸６２０及びエラストマの密封部材６２２の各々の前方への動きがもたらされ且つエラストマ密封部材６２２の前方を向いている面６２４と試料入口穴５３６との間の密封係合がもたらされる。
【００６８】
この閉塞された位置においては、主要ハウジング部材５１０の基準試料入口穴５３８から気体供給穴５４０へと延びている矢印７７０によって示されている流体流路は開いている。この作動モードにおいては、エラストマ密封部材６２２の後方を向いている面６２６は、前方部材６５０の突出部６５８と係合していない。弁アセンブリ５７０は、ソレノイド６９０内に電流を通すことによって形成される磁場の力によってこの閉塞位置に維持される。
【００６９】
図５Ｂに示されている基準試料採取作動モードにおいては、ソレノイド弁アセンブリ５３４に供給される気体試料は、基準試料入口穴５３８から気体供給穴５４０へと自由に流れる。矢印７７０によって示された流体流路を取り巻くデッドスペースが存在するけれども、基準気体の波形は試験においては重要ではないので、このデッドスペースは、基準気体の分析の正確性には影響を及ぼさない。
【００７０】
本発明は、特に図示し且つ上記したものに限定されないことは当業者によって理解される。むしろ、本発明の範囲は、上記した種々の特徴のコンビネーション及びサブコンビネーションばかりでなく上記の説明を読んだときに当業者が想到できる変更例及び変形例をも含んでおり、これらは従来技術に含まれるものではない。
【図面の簡単な説明】
【００７１】
【図１】図１は、本発明の好ましい実施形態に従って構成され且つ作動可能なカプノグラフ装置の簡素化された図である。
【図２】図２は、本発明の好ましい実施形態に従って構成され且つ作動可能なソレノイド弁を含んでいる図１のカプノグラフ装置の一部分の分解図である。
【図３】図３は、図２の分解図に示されたカプノグラフ装置の一部分の組立図である。
【図４Ａ】図４Ａは、患者試料採取作動モード状態の図１乃至３のカプノグラフ装置の一部分内を流れる気体の流れを示している。
【図４Ｂ】図４Ｂは、基準試料採取モード状態の図１乃至３のカプノグラフ装置の一部分内を流れる気体の流れを示している。
【図５Ａ】図５Ａは、患者試料採取作動モード状態の図１乃至３のカプノグラフ装置の変形例の一部分内を流れる気体の流れを示している。
【図５Ｂ】図５Ｂは、基準試料採取モード状態の図１乃至３のカプノグラフ装置の変形例の一部分内を流れる気体の流れを示している。
【図１】
2008500091.tif 000003
【図２】
2008500091.tif 000004
【図３】
2008500091.tif 000005
【図４Ａ】
2008500091.tif 000006
【図４Ｂ】
2008500091.tif 000007
【図５Ａ】
2008500091.tif 000008
【図５Ｂ】
2008500091.tif 000009
【国際調査報告】
2008500091.tif 000010